(57)【特許請求の範囲】
【請求項１】
駅のホームに到着予定の列車に関する情報を表示する表示装置の表示画面での鉄道システムの情報表示方法であって、
前記表示画面に、
路線上の任意の１つの駅を当駅とし、当駅を通る路線上の当駅よりも１つ前の駅を前駅として、
当駅のホームに次に発着する先発列車とこれに続いて発着する後発列車との列車種別と、当駅を通る前記路線上の少なくとも前駅を含み、当駅より後の必要とする駅までの前記路線の各駅を表わす路線図と
を表示し、かつ
前記路線図上に、前記路線図で表わされる範囲の前記路線上にある前記先発列車と前記後発列車との現在位置を表わす列車アイコンを表示すると共に、前記後発列車の特徴を表わす情報を前記路線図と関連させて表示し、
前記表示画面の上部に、前記先発列車の前記列車種別と共に、前記先発列車の当駅での発車時刻、行先からなる先発列車関連情報を表示し、
前記表示画面の下部に、前記後発列車の前記列車種別と共に、前記後発列車の当駅での発車時刻、行先からなる後発列車関連情報を表示し、
前記先発列車関連情報の表示領域と前記後発列車関連情報の表示領域との間に、前記路線図を表示し、かつ、
前駅を発車する列車の各車両毎の混み具合の映像を、当駅での前記列車が停車する番線に複数設けられる表示装置の各表示画面に表示する
ことを特徴とする鉄道システムの情報表示方法。
【請求項２】
駅のホームに到着予定の列車に関する情報を表示する表示装置の表示画面での鉄道システムの情報表示方法であって、
前記表示画面に、
路線上の任意の１つの駅を当駅とし、当駅を通る路線上の当駅よりも１つ前の駅を前駅として、
当駅のホームに次に発着する先発列車とこれに続いて発着する後発列車との列車種別と、
当駅を通る前記路線上の少なくとも前駅を含み、当駅より後の必要とする駅までの前記路線の各駅を表わす路線図と
を表示し、かつ
前記路線図上に、前記路線図で表わされる範囲の前記路線上にある前記先発列車と前記後発列車との現在位置を表わす列車アイコンを表示すると共に、前記後発列車の特徴を表わす情報を前記路線図と関連させて表示し、
前記表示画面の上部に、前記先発列車の前記列車種別と共に、前記先発列車の当駅での発車時刻、行先からなる先発列車関連情報を表示し、
前記表示画面の下部に、前記後発列車の前記列車種別と共に、前記後発列車の当駅での発車時刻、行先からなる後発列車関連情報を表示し、
前記先発列車関連情報の表示領域と前記後発列車関連情報の表示領域との間に、前記路線図を表示し、
各駅の前記表示装置には、停車した列車の該当する乗降ドアでの顧客の乗降状態を撮影するビデオカメラが設けられ、
前記ビデオカメラの撮影映像が次の駅に当該列車が停車したときの同じ乗降ドアに対応する乗降位置に設けられた表示装置に送信され、
前駅の表示装置での前記ビデオカメラからの映像が、当駅での前記表示画面での前記路線図が表示される領域に表示され、
前記表示画面で前駅の表示装置の前記ビデオカメラからの映像が表示されるときには、前記路線図の表示位置を前記表示画面で上方に移動し、前記路線図の表示位置の下側に前駅の表示装置での前記ビデオカメラからの映像を表示する
ことを特徴とする鉄道システムの情報表示方法。
【請求項３】
請求項１または２において、
前記先発列車が当駅に到着するまでの待ち時間を、前記先発列車の前記列車アイコンに関連付けて表示すること
を特徴とする鉄道システムの情報表示方法。
【請求項４】
請求項１〜３のいずれか１つにおいて、
前記先発列車が当駅に到着したときには、前記路線図上に表示されている前記後発列車の前記列車アイコンに関連付けて、前記後発列車が当駅に到着するまでの待ち時間を表示する
ことを特徴とする鉄道システムの情報表示方法。
【請求項５】
請求項１〜４のいずれか１つにおいて、
前記表示装置は、前記ホームの番線における停車中の列車の各車両での各乗降ドアに対応する乗降位置毎に設けられ、
前記表示画面には、前記乗降位置で乗降する前記車両に関する情報が表示される
ことを特徴とする鉄道システムの情報表示方法。
【請求項６】
請求項１において、
各駅の前記表示装置には、停車した列車の該当する乗降ドアでの顧客の乗降状態を撮影
するビデオカメラが設けられ、
前記ビデオカメラの撮影映像が次の駅の当該列車が停車したときの同じ乗降ドアに対応する乗降位置に設けられた表示装置に送信される
ことを特徴とする鉄道システムの情報表示方法。
【請求項７】
請求項６において、
前記各駅の前記ホームの番線での停車した列車の車掌室に対応した位置に車掌用のディ
スプレイが設けられ、
前記車掌用のディスプレイに、該番線の前記乗降位置毎に設置されている前記表示装置それぞれの前記ビデオカメラの撮影映像が乗降位置毎に区分して表示される
ことを特徴とする鉄道システムの情報表示方法。
【請求項８】
請求項６または７において、
前駅の表示装置に設けられている前記ビデオカメラからの映像が、当駅での前記表示画面の前記路線図が表示される領域に表示される
ことを特徴とする鉄道システムの情報表示方法。
【請求項９】
請求項８において、
前記表示画面に前駅の表示装置に設けられている前記ビデオカメラからの映像が表示されるときには、前記路線図の表示位置を前記表示画面で上方に移動し、前記路線図の表示位置の下側に前駅の表示装置での前記ビデオカメラからの映像を表示する
ことを特徴とする鉄道システムの情報表示方法。
【請求項１０】
請求項７〜９のいずれか１つにおいて、
前記表示装置の前記表示画面には、前駅の表示装置に設けられている前記ビデオカメラからの映像がぼかして表示され、
前記車掌用のディスプレイには、前記乗降位置毎に設置されている前記表示装置それぞれに設けられている前記ビデオカメラの撮影映像が鮮明に表示される
ことを特徴とする鉄道システムの情報表示方法。
【請求項１１】
請求項２〜１０のいずれか１つにおいて、
前駅で発車する列車の各車両毎の混み具合の映像が、当駅で当該列車が停車する番線に設けられた前記各表示装置の表示画面に表示される
ことを特徴とする鉄道システムの情報表示方法。
【請求項１２】
請求項１〜１１のいずれか１つにおいて、
前駅での発車する列車の各乗降ドア毎の混み具合の映像が、当駅の該当する乗降位置に設けられた前記表示装置の表示画面に表示される
ことを特徴とする鉄道システムの情報表示方法。
【請求項１３】
請求項１〜１２のいずれか１つにおいて、
前記先発列車や前記後発列車に遅れがあるときには、前記路線図に沿って表わされる遅れを示す図形情報が表示されることを特徴とする鉄道システムの情報表示方法。
【請求項１４】
請求項２において、
前記先発列車や前記後発列車に遅れがあるときには、前記路線図に沿って表わされる遅れを示す図形情報と、前記発車時刻に代わる遅れを示すメッセージとを表示することを特徴とする鉄道システムの情報表示方法。
【請求項１５】
請求項２において、
前記先発列車に大きな遅れがあるときには、前記後発列車関連情報の表示に代えて、その遅れの理由を示す情報と振替ルートに関する情報とを表示することを特徴とする鉄道システムの情報表示方法。
【請求項１６】
請求項２において、
路線での運転見合わせとなったときには、前記先発列車関連情報，後発列車関連情報及び前記路線図の代えて、運転見合わせを通知するメッセージと、振替ルートとを表示することを特徴とする鉄道システムの情報表示方法。
【請求項１７】
請求項１〜１２のいずれか１つにおいて、
前記路線上の所定の駅での接続路線で異常が発生したときには、前記路線上の該所定の駅と関連付けて、接続路線で異常が発生したことを示す情報を表示することを特徴とする鉄道システムの情報表示方法。
【発明の詳細な説明】
【技術分野】
【０００１】
本発明は、駅の各ホームの番線で乗車待ちをしている顧客に列車の運行状況の情報を提供する鉄道システムの情報表示方法に関する。
【背景技術】
【０００２】
鉄道の各駅には、各ホーム毎に標示板が設けられており、そのホームで発着する列車の発車時刻や到着番線，行先，車両数などの発着する列車に関する情報が表示される。また、次に発着する先発列車が到着，発車するときや遅れなどの運行異常が発生したときには、その旨のアナウンスがなされる。
【０００３】
これに対し、列車の運行状況をより詳細に表示するようにした技術も提案されている。
【０００４】
その一例としては、駅のコンコースやホームなどに表示部を設け、この表示部に、次に発着する先発列車やその後の後発列車毎に、この駅を含むその前後の駅が、その駅名とともに、記された路線図が表示され、それら路線図で先発列車や後発列車の現在の位置や当駅に到着するまでの時刻（待ち時間），当駅以降の各駅での待ち時間，列車名が表示されるものである（例えば、特許文献１参照）。
【０００５】
また、他の例としては、駅係員によって操作されるパソコンなどに表示されるものであるが、この駅を含む前後２つの駅間での各列車の状況を示す線形画面と、この線形画面に表示さる各列車の列車番号や列車種別，愛称名，行先，到着時刻，発車時刻，発着する番線名，遅延時間などを示す表形式画面とが表示されるものである（例えば、特許文献２参照）。
【特許文献１】特開平７ー２８５４３８号公報
【特許文献２】特開２００５ー２１２６３３号公報
【発明の開示】
【発明が解決しようとする課題】
【０００６】
ところで、駅のホームのこれから乗車しようとする番線に列車を待っている顧客にとっては、これから乗車しようとする列車の運行状況を詳細に知りたい場合もあり、特に、長い時間列車を待っている場合には、その要望が強い。
【０００７】
上記特許文献１，２に記載の技術では、路線上での先発列車やその次の後発列車の現在の位置や待ち時間，さらに、降車予定の駅での到着時刻を知ることができ、ある程度の詳細情報を取得することができるが、例えば、先発列車を使えば、確実に目的の駅に早く着けるのかどうか、また、混み具合、特に、自分が乗車しようとする車両の乗降ドアでの混み具合など、より詳細な状況を望む場合もあり、このような顧客の希望に対して、上記特許文献１，２に記載の技術だけでは、対応できるものではない。
【０００８】
また、特に、上記特許文献１に記載の技術では、後発列車の現在位置や待ち時間なども表示されるが、先発列車と後発列車との情報が別々の領域に表示されるから、顧客がこれらの情報を特に近くで見るときには、眼を大きく動かしたり、顔の向きを変えたりして、見づらい場合もある。
【０００９】
本発明の目的は、かかる問題を解消し、ホームの番線の各乗降位置で乗車待ちしている顧客に、この番線に到着する列車の状況に関する情報を正確に提供することができるようにした鉄道システムの情報表示方法を提供することにある。
【課題を解決するための手段】
【００１０】
上記目的を達成するために、本発明は、駅のホームに到着予定の列車に関する情報を表示する表示装置の表示画面での鉄道システムの情報表示方法であって、前記表示画面に、路線上の任意の１つの駅を当駅とし、当駅を通る路線上の当駅よりも１つ前の駅を前駅として、当駅のホームに次に発着する先発列車とこれに続いて発着する後発列車との列車種別と、当駅を通る前記路線上の少なくとも前駅を含み、当駅より後の必要とする駅までの前記路線の各駅を表わす路線図とを表示し、かつ前記路線図上に、前記路線図で表わされる範囲の前記路線上にある前記先発列車と前記後発列車との現在位置を表わす列車アイコンを表示すると共に、前記後発列車の特徴を表わす情報を前記路線図と関連させて表示し、前記表示画面の上部に、前記先発列車の前記列車種別と共に、前記先発列車の当駅での発車時刻、行先からなる先発列車関連情報を表示し、前記表示画面の下部に、前記後発列車の前記列車種別と共に、前記後発列車の当駅での発車時刻、行先からなる後発列車関連情報を表示し、前記先発列車関連情報の表示領域と前記後発列車関連情報の表示領域との間に、前記路線図を表示し、かつ、前駅を発車する列車の各車両毎の混み具合の映像を、当駅での前記列車が停車する番線に複数設けられる表示装置の各表示画面に表示することを特徴とするものである。
【００１１】
また、本発明は、駅のホームに到着予定の列車に関する情報を表示する表示装置の表示画面での鉄道システムの情報表示方法であって、前記表示画面に、路線上の任意の１つの駅を当駅とし、当駅を通る路線上の当駅よりも１つ前の駅を前駅として、当駅のホームに次に発着する先発列車とこれに続いて発着する後発列車との列車種別と、当駅を通る前記路線上の少なくとも前駅を含み、当駅より後の必要とする駅までの前記路線の各駅を表わす路線図とを表示し、かつ前記路線図上に、前記路線図で表わされる範囲の前記路線上にある前記先発列車と前記後発列車との現在位置を表わす列車アイコンを表示すると共に、前記後発列車の特徴を表わす情報を前記路線図と関連させて表示し、前記表示画面の上部に、前記先発列車の前記列車種別と共に、前記先発列車の当駅での発車時刻、行先からなる先発列車関連情報を表示し、前記表示画面の下部に、前記後発列車の前記列車種別と共に、前記後発列車の当駅での発車時刻、行先からなる後発列車関連情報を表示し、前記先発列車関連情報の表示領域と前記後発列車関連情報の表示領域との間に、前記路線図を表示し、各駅の前記表示装置には、停車した列車の該当する乗降ドアでの顧客の乗降状態を撮影するビデオカメラが設けられ、前記ビデオカメラの撮影映像が次の駅に当該列車が停車したときの同じ乗降ドアに対応する乗降位置に設けられた表示装置に送信され、前駅の表示装置での前記ビデオカメラからの映像が、当駅での前記表示画面での前記路線図が表示される領域に表示され、前記表示画面で前駅の表示装置の前記ビデオカメラからの映像が表示されるときには、前記路線図の表示位置を前記表示画面で上方に移動し、前記路線図の表示位置の下側に前駅の表示装置での前記ビデオカメラからの映像を表示することを特徴とするものである。
【００１２】
また、本発明は、先発列車が当駅に到着するまでの待ち時間を、先発列車の列車アイコンに関連付けて表示することを特徴とするものである。
【００１３】
また、本発明は、先発列車が当駅に到着したときには、路線図上に表示されている後発列車の列車アイコンに関連付けて、後発列車が当駅に到着するまでの待ち時間を表示する
ことを特徴とするものである。
【００１４】
また、本発明は、表示装置は、ホームの番線における停車中の列車の各車両での各乗降ドアに対応する乗降位置毎に設けられ、表示画面には、乗降位置で乗降する車両に関する情報を表示することを特徴とするものである。
【００１５】
また、本発明は、各駅の表示装置には、停車した列車の該当する乗降ドアでの顧客の乗降状態を撮影するビデオカメラが設けられ、ビデオカメラの撮影映像を次の駅の列車が停車したときの同じ乗降ドアに対応する乗降位置に設けられた表示画面に送信されることを特徴とするものである。
【００１６】
また、本発明は、各駅のホームの番線での停車した列車の車掌室に対応した位置に車掌用のディスプレイが設けられ、車掌用のディスプレイに、番線の乗降位置毎に設置されている表示装置夫々でのビデオカメラの撮影映像が乗降位置毎に区分して表示されることを特徴とするものである。
【００１７】
また、本発明は、前駅の表示装置でのビデオカメラからの映像が、当駅での表示画面での路線図が表示される領域に表示されることを特徴とするものである。
【００１８】
また、本発明は、表示画面で前駅の表示装置でのビデオカメラからの映像が表示されるときには、路線図の表示位置を表示画面で上方に移動し、路線図の表示位置の下側に前駅の表示装置でのビデオカメラからの映像を表示する
ことを特徴とするものである。
【００１９】
また、本発明は、表示装置の表示画面では、前駅の表示装置でのビデオカメラからの映像をぼかして表示し、車掌用のディスプレイでは、乗降位置毎に設置されている表示装置夫々でのビデオカメラの撮影映像を鮮明に表示することを特徴とするものである。
【００２０】
また、本発明は、前駅での発車する列車の各車両毎の混み具合の映像を、当駅での列車が停車する番線での各表示装置の表示画面に表示することを特徴とするものである。
【００２１】
また、本発明は、前駅での発車する列車の各乗降ドア毎の混み具合の映像を、当駅の該当する乗降位置に設けられた表示装置の表示画面に表示する
ことを特徴とするものである。
【００２２】
また、本発明は、先発列車や後発列車に遅れがあるときには、路線図に沿って表わされる遅れを示す図形情報を表示することを特徴とするものである。
【００２３】
また、本発明は、先発列車や後発列車に遅れがあるときには、路線図に沿って表わされる遅れを示す図形情報と、発車時刻に代わる遅れを示すメッセージとを表示することを特徴とするものである。
【００２４】
また、本発明は、先発列車に大きな遅れがあるときには、後発列車関連情報の表示に代えて、その遅れの理由を示す情報と振替ルートに関する情報とを表示することを特徴とするものである。
【００２５】
また、本発明は、路線での運転見合わせとなったときには、先発列車関連情報，後発列車関連情報及び路線図の代えて、運転見合わせを通知するメッセージと、振替ルートとを表示することを特徴とするものである。
【００２６】
また、本発明は、路線上の所定の駅での接続路線で異常が発生したときには、路線上の所定の駅と関連付けて、接続路線で異常が発生したことを示す情報を表示することを特徴とするものである。
【発明の効果】
【００２７】
本発明によると、列車待ちしている顧客が、番線に到着する先発列車や後発列車の現在の状況を容易にかつ確実に知ることが可能となるし、また、目的の駅まで行くのに先発列車と後発列車とのいずれを利用した方がよいかなどの判断をすることが可能となる。
【発明を実施するための最良の形態】
【００２８】
以下、本発明の実施形態を図面を用いて説明する。  
図１は本発明による鉄道システムの情報表示方法に用いる到着予定列車情報の表示装置の使用状態の一具体例を示す図であって、１はホームの番線、２は乗降位置、３は到着予定列車情報の表示装置である。
【００２９】
同図において、鉄道の駅の列車が発着する各ホームの番線１では、到着した列車での乗降ドアの停止位置が決まっており、これら乗降ドアの停止位置夫々に対向して乗降位置２が設定されており、顧客はかかる乗降位置２夫々で並んで列車待ちをしている。
【００３０】
この実施形態の到着予定列車情報の表示装置３は、かかる乗降位置２毎にその上方に、並んでいる顧客がその表示画面をみることができるように、設置されており、次の列車が１つ前の駅に到着する以前からのその列車の状況などの到着予定列車情報が表示される。顧客は、この表示画面の表示情報を観ることにより、次に到着する列車での乗降位置２での混み具合などの様子を知ることができる。
【００３１】
図２は図１における到着予定列車情報の表示装置３の一具体例を示す外観斜視図であって、３ａは前面，３ｂは下面、４は表示画面、５はビデオカメラ、６は番線名、７は路線情報、８は先発列車項目、９は後発列車項目である。
【００３２】
同図において、この具体例では、到着予定列車情報の表示装置３は、プラットフォームの天井から吊り下げられて、設置されており、その前面３ａに表示画面４が、下面３ｂにビデオカメラ５が夫々設けられている。前面３ａはある程度下方向に傾いており、乗降位置２（図１）に並んでいる先頭の顧客もこの表示画面を観ることができるようにしている。また、ビデオカメラ５は、視野を下方とするものであって、列車が到着したときに作動し、この乗降位置２での乗降車する顧客の流れを撮影する。
【００３３】
なお、このビデオカメラ５は、列車が到着するとともに、撮影を開始し、この列車が発車するとともに、撮影を終了する。従って、この間次の駅の到着予定列車情報の表示装置３の表示画面４がビデオカメラ５の撮影画像（動画でも、静止画でもよい）を表示する。あるいは、ビデオカメラ５は常時撮影しているが、到着予定列車情報の表示装置３の表示画面４では、このビデオカメラ５の撮影画像を、列車が到着するとともに、表示開始し、この列車が発車するとともに、表示終了するようにしてもよい。
【００３４】
また、列車の到着や発車は、例えば、この番線で決められた進行方向に移動する列車の画像の認識により、判定する。
【００３５】
到着予定列車情報の表示装置３の前面３ａの、例えば、左上部に、番線名６が、例えば、３番線の場合、「３」と表示され、また、表示画面４の、例えば、上部左側にこの番線での路線名や行先を示す路線情報７が表示されている。これにより、顧客は、到着予定列車情報の表示装置３の表示画面とともに、番線や行先などを一覧することができる。
【００３６】
また、表示画面４には、その上側に次発の列車に関する情報が、下側に次々発の列車に関する情報が夫々表示されるが、この表示画面４の左側に、次発の列車に関する情報の表示領域に対向して、この情報を示す、例えば、「次発」との項目（先発列車項目）８が表示され、また、次々発の列車に関する情報の表示領域に対向して、この情報を示す、例えば、「次々発」との項目（後発列車項目）９が表示される。これにより、顧客は、次に到着する先発列車の状況やその次に到着する後発列車の状況を見分けることができる。
【００３７】
ビデオカメラ５が撮影した画像は、次の駅に送信され、次の駅での同じ列車が到着する番線の同じ乗降ドアが停止する乗降位置（これを、以下、該当する乗降位置という。１つ前の駅に対しても、同様である）２に設けられた到着予定列車情報の表示装置３の表示画面４に表示される。従って、図２に示す到着予定列車情報の表示装置３の表示画面４に表示される乗降車する顧客の流れは、１つ前の駅の該当する乗降位置に設置された到着予定列車情報の表示装置３のビデオカメラ５で撮影されたものである。これにより、図１に示すように、乗降位置２で並んで次の列車を待ち合わせている顧客は、次に到着する先発列車での自分が乗ろうとする乗降ドアでの混み具合を認識することができる。
【００３８】
なお、以下では、説明の対象とする駅（上記「次の駅」の１つ手前の駅）を、「当駅」といい、当駅の１つ前の駅を「前駅」ということにする。当駅と前駅とは同じ路線上にある。
【００３９】
図３は１つのホームでの装置の設置状態を示す図であって、１０はホーム、１０ａ，１０ｂは番線、１１は静止画用カメラ、１２は車掌用ディスプレイであり、図１，図２に対応する部分には同一符号をつけて重複する説明を省略する。
【００４０】
同図において、ここでは、１つのホーム１０だけを示しているが、複数のホーム１０があってもよい。ホーム１０の夫々の番線１０ａ，１０ｂの各乗降位置（ここでは、１０ヶ所としている）には、上記のように、到着予定列車情報の表示装置３が設けられているが、さらに、各番線１０ａ，１０ｂには、停止した列車の先頭よりも前方の位置（番線１０ａ，１０ｂの先頭部）に、発車した列車の車内側を向いた静止画用カメラ１１が設けられ、列車が発車すると、各車両の乗降ドアがこの静止画用カメラ１１を通過する毎に、その乗降ドアを含む所定範囲の車内の状態を撮影し、その静止画像を次の駅に送信する。次の駅では、該当する乗降位置での到着予定列車情報の表示装置３の表示画面４に、この静止画像が表示される。
【００４１】
なお、静止画用カメラ１１は、列車が発車し始めるとともに、スタンバイ状態となり、列車がその前を通過し終わると、撮影解除状態となる。
【００４２】
従って、当駅の乗降位置２に設置された到着予定列車情報の表示装置３では、前駅を発車した列車でのこの乗降位置２に停車する乗降ドア部分の状況が表示され、この乗降位置２に並んだ顧客は、次発の列車のここに止まる乗降ドア部分での混み具合を認識することができる。
【００４３】
また、番線１０ａ，１０ｂの停車した列車の後尾（即ち、乗務員室）の辺りに、乗務員（車掌）が観ることができるように、車掌用ディスプレイ１２が設けられている。この車掌用ディスプレイ１２には、この列車が停車した番線１０ａ，１０ｂの各乗降位置２に設置されている到着予定列車情報の表示装置３夫々のビデオカメラ５（図２）で撮影された画像が供給され、表示される。これにより、車掌は各乗降位置２での乗降の状況を確認することができる。
【００４４】
図４は本発明による鉄道システムの情報表示方法を実行するための鉄道システムの一具体例を示すシステム構成図であって、１３1〜１３i，１３1〜１３jは番線（図３での番線１０ａ，１０ｂに相当）、１４は表示部、１５は制御部、１６Ａ，１６Ｂは駅サーバ、１７はデータベース、１８は運行管理システム、１９は運行状況サーバ、２０はホストサーバ、２１は通信線、２２Ａ，２２Ｂは車両、２３は車内混雑度測定手段、２４は制御部であり、図２に対応する部分には同一同一符号をつけて重複する説明を省略する。
【００４５】
同図において、ここで、前後する２つの駅Ａ，Ｂについて示しており、駅Ｂが当駅Ｂ、駅Ａが前駅Ａとする。また、前駅Ａでは、１番線からｉ番線までの番線１３1〜１３iがあり、当駅Ｂでは、１番線からｊ番線までの番線１３1〜１３jがあるものとし、以下では、前駅Ａの番線１３1と当駅Ｂの番線１３1とは、同じ路線の番線とする。従って、前駅Ａの番線１３1に停車する列車は、当駅Ｂでは、番線１３1に停車する。
【００４６】
なお、以下では、これら番線をまとめていう場合、番線１３という
前駅Ａの各番線１３や当駅Ｂの各番線１３には、その乗降位置毎に設置された表示部１４やビデオカメラ５などを備えた図２で示した到着予定列車情報の表示装置３が設置されており、番線毎に到着予定列車情報の表示装置３が制御部１５によって制御される。そして、各番線の制御部１５は、各駅毎に、駅サーバ１６を介して通信線２１に接続されており、また、この鉄道会社の運行を管理する運行管理システム１５や接続路線の運行状況の情報を管理する運行状況サーバ１８が、ホストサーバ２０を介して、通信線２１に接続されている。
【００４７】
運行管理システム１８は、この鉄道会社での列車の運行状況（列車の運行ダイヤや列車が存在する路線（在線）での列車の遅れなど）を管理するものであって、各列車の在線での現在位置（在線位置）などの現在の状況の情報を、運行管理情報として、ホストサーバ２０に該当する駅を指定して提供する。また、運行状況サーバ１９は、この鉄道システムの路線（以下、自社路線という）に接続する自社路線（以下、自社接続路線という）や他社路線（以下、他車接続路線という）の運行異常に関する情報（接続路線異常情報）を保持するものであって、遅延や運転見合わせなどの異常があると、その状況を示す接続路線異常情報をサーバ２０に該当する駅を指定して提供する。
【００４８】
なお、自社路線に接続する他の自社路線については、これら自社路線のいずれかに運行異常がある場合、自社路線のいずれかに運行異常があることを示す接続路線異常情報が運行状況サーバ１９に保存され、運行異常の具体的な内容については、運行管理システム１８に、運行管理情報として、保存される。
【００４９】
また、前駅Ａから当駅Ｂを通るこの場合の対象とする自社路線を、以下では、対象路線ということにする。以下の説明では、この対象路線での列車の運行状況を対象とするものである。
【００５０】
各駅の駅サーバ１６は、その駅での各列車の時刻表などの列車関連情報のデータベース１７を備え、また、通信線２１を介して、ホストサーバ２０から当駅に該当する情報を取得する。そして、データベース１７から、各番線１３毎に、先発列車や後発列車に関する発車時刻などの情報を取得し、かかる情報とホストサーバ２０から取得した情報とを該当する番線１３の制御部１５に供給する。制御部１５は、これら情報を用いて当該番線１３での到着予定列車情報の表示装置３夫々に該当する表示画像を作成し、該当する到着予定列車情報の表示装置３に供給する。
【００５１】
前駅Ａでの到着予定列車情報の表示装置３のビデオカメラ５が撮影を行なうと、その画像は、制御部１５，駅サーバ１６を介し、通信線２１を通して当駅Ｂの駅サーバ１５に供給される。この当駅Ｂでは、この駅サーバ１６がこの撮影画像を該当する番線１３の制御部１４に供給し、この制御部１４は上記の表示画像にこの撮影画像を組み込み、該当する到着予定列車情報の表示装置３に供給する。
【００５２】
当駅Ｂのビデオカメラ５の撮影画像も、同様にして、図示しない次の駅に送信され、該当する番線の到着予定列車情報の表示装置３に供給される。
【００５３】
また、前駅Ａでの番線システム１３に設けられた静止画用カメラ１１（図３）が撮影した同じ列車の各乗降ドア毎の静止画像は、その制御部１５，駅サーバ１６を介し、通信線２１を通して当駅Ｂの駅サーバ１５に供給される。この当駅Ｂでは、この駅サーバ１６がこの撮影画像を該当する番線１３の制御部１４に供給し、この制御部１４は上記の表示画像にこの撮影画像を組み込み、該当する到着予定列車情報の表示装置３に供給する。
【００５４】
当駅Ｂの静止画用カメラ１１で撮影された静止画像も、同様にして、図示しない次の駅に送信され、該当する番線の到着予定列車情報の表示装置３に供給される。
【００５５】
さらに、前駅Ａに到着した列車では、乗降が完了して乗降ドアが閉じると、各車両２２Ａ毎に、車両混雑度測定手段２３によって車両２２Ａの重量の変化を検出することにより、混雑度（混み具合）を求め、制御部２４から無線通信で前駅Ａの駅サーバ１６Ａに送信する。この駅サーバ１６Ａは、この混雑度の情報を通信線２１を介して当駅Ｂの駅サーバ１６Ｂに送信する。当駅Ｂでは、その駅サーバ１６Ｂがこの混雑度の情報を受信すると、これを該当する番線１３の制御部１４に送り、この制御部１４は上記の表示画像にこの混雑度の情報を組み込み、該当する到着予定列車情報の表示装置３に供給する。
【００５６】
同様にして、当駅Ｂでも、到着した列車で乗降が完了して乗降ドアが閉じると、同様にして、各車両２２Ｂ毎に混雑度（混み具合）を求め、これを次の駅に送信され、該当する番線の該当する乗降位置での到着予定列車情報の表示装置３に供給される。
【００５７】
このようにして、到着予定列車情報の表示装置３には、その表示画面４（図２）に、次発や次々発の列車の運行状況（これら列車の位置や到着までの時刻，遅れなど）や前駅での乗降車状況，各車両の混雑度（混み具合）などが表示される。
【００５８】
次に、図４に示す鉄道システムを用いた本発明による鉄道システムの情報表示方法の一実施形態を説明する。  
ここでは、図４における当駅Ｂでの番線１３1の所定の乗降位置に設置された到着予定列車情報の表示装置３での情報表示方法について説明するが、他の乗降位置，他の番線，他の駅についても、同様である。
【００５９】
図５は本発明による鉄道システムの情報表示方法の一実施形態での表示される画面の遷移を示すシーケンス図であるが、以下、図５をもとに、当駅Ｂでの到着予定列車情報の表示装置３の表示画面４で表示される画面を用いて説明する。
【００６０】
当駅Ｂでの次発の列車が前駅Ａに到着するまでは（図５の状態２５ａ）、図６に示す列車在線位置表示画面２６が到着予定列車情報の表示装置３の表示画面４に表示されている（図５のＳ（ステップ）１）。
【００６１】
ここで、図６において、２６は列車在線位置表示画面、２７は先発列車関連情報欄、２７ａは発車時刻欄、２７ｂは列車種別欄、２７ｃは行先欄、２７ｄは属性情報表示欄、２８は後発列車関連情報欄、２８ａは発車時刻欄、２８ｂは列車種別欄、２８ｃは行先欄、２８ｄは属性情報表示欄、２９は運行状況表示欄、２９ａは路線図、２９ｂは列車アイコン、２９ｃは駅マーク、２９ｄは吹出し、２９ｅは後発列車の先着駅通知欄である。
【００６２】
この列車在線位置表示画面２６には、その上側にその上辺に沿って、先発列車関連情報欄２７が設けられ、この先発列車関連情報欄２７には、当駅Ｂでの先発列車の発車時刻欄２７ａ、各駅停車や急行などを示す列車種別欄２７ｂ，行先欄２７ｃ、この到着予定列車情報の表示装置３が設けられている乗降位置２で乗降する車両が女性専用車両や弱冷房車両などであることを示す属性情報表示欄２７ｄなどが設けられ、夫々の情報が表示される。
【００６３】
また、この列車在線位置表示画面２６の下側には、その下辺に沿って、後発列車関連情報欄２８が設けられており、この後発列車関連情報欄２８も、先発列車関連情報欄２７と同様、当駅Ｂでの発車時刻欄２８ａ、各駅停車や急行などを示す列車種別欄２８ｂ，行先欄２８ｃ、この到着予定列車情報の表示装置３が設けられている乗降位置２で乗降する車両が女性専用車両や弱冷房車両などがあることを示す属性情報表示欄２８ｄが設けられ、夫々の情報が表示される。
【００６４】
これら先発列車関連情報欄２７と後発列車関連情報欄２８との間には、先発列車の運行状況を表わす運行状況表示欄２９が設けられており、運行状況表示欄２９には、この先発列車が停車する前駅Ａから各駅が黒丸で表わされる駅マーク２９ｃが、これらの駅の通過順に配列された対象路線の路線図２９ａが表示され、この対象路線の路線図２９ａ上での先発列車の現在の位置を示す列車型の列車アイコン２９ｂが表示されている。列車アイコン２９ｂは、先発列車が走行することによって変化する現在位置とともに、表示位置が各駅の配列方向に変化する。
【００６５】
さらに、列車アイコン２９ｂからの吹出しが２９ｄが表示され、この吹出し２９ｄにこの次列車が当駅Ｂに到着するまでの時間が、例えば、「あと８分」というように表示される。なお、この次列車が当駅Ｂに到着するまでの待ち時間Ｔは、運行ダイヤによる当駅Ｂでの発車時刻をＴ1，現在の遅れ時間をΔＴ、現在の時刻をＴ2とすると、
Ｔ＝（Ｔ1＋ΔＴ）−Ｔ2
で表わされる。この遅れ時間ΔＴは、現在の時刻Ｔ2での先発列車の現在位置を運行ダイヤに沿って運行したときに通過する時刻をＴ3とすると、
ΔＴ＝Ｔ2−Ｔ3
で表わされるが、この遅れ時間ΔＴはホストサーバ２０または夫々の駅の駅サーバ１６で求められ、待ち時間Ｔは駅サーバ１６で求められる。従って、当駅Ｂの場合には、駅サーバ１６Ｂで求められる。なお、通常、列車に遅れがないので、遅れ時間ΔＴ＝０である。
【００６６】
このようにして、顧客は、列車アイコン２９ｂの対象路線の路線図２９ａ上での位置により、先発列車の現在位置を認識できるし、吹出し２９ｄでの表示により、この先発列車の待ち時間を認識することができる。
【００６７】
さらにまた、先発列車が当駅Ｂを発車した後、後発列車がこの先発列車を追い越す場合には、この後発列車を利用した方が早く着く駅（以下、先着駅という）があるが、運行状況表示欄２９では、かかる先着駅を示す先着駅通知欄２９ｅが表示され、例えば、「２番目にくる列車が先着します」などといったメッセージが表示されるとともに、その先着駅を指示する。ここでは、Ｋ駅，Ｍ駅，Ｐ駅及びＱ駅が先着駅としており、これらの駅は、例えば、２重黒丸で表わされる駅マーク２９ｃで表示され、他の駅と区別される。
【００６８】
このようにして、目的駅に応じて、先発列車と後発列車とのいずれかの選択も容易となる。
【００６９】
先発列車が前駅Ａに到着すると（図５での状態２５ｂ）、運行管理システム１８がこれを検知することにより、ホストサーバ２０を介して、前駅Ａに該当する番線１３の各到着予定列車情報の表示装置３のビデオカメラの画像を要求するとともに、静止画用カメラ１１をスタンバイ状態にすることを要求する（図５のＳ２）。
【００７０】
これにより、前駅Ａに該当する番線１３の各到着予定列車情報の表示装置３のビデオカメラ５で撮影された画像が当駅Ｂに配信され（図５でのＳ３）、当駅Ｂでの該当する番線の到着予定列車情報の表示装置３の表示画面４に、図７に示す前駅映像配信画面３０が表示される（図５でのＳ４）。また、このとき、前駅Ａでは、各到着予定列車情報の表示装置３のビデオカメラ５で撮影された画像が、この先発列車が到着した番線１３での車掌用ディスプレイ１２にも供給され、この番線の各乗降位置での乗降状態を示す画像が表示される（図５のＳ５）。
【００７１】
なお、図７において、２９ｄ’は待ち時間メッセージ、３１は配信映像、３２はメッセージであり、図６に対応する部分には同一符号をつけて重複する説明を省略するが、細かい部分については、図面を簡明化するために符号を省略する。
【００７２】
当駅Ｂの到着予定列車情報の表示装置３の表示画面４に表示される前駅映像配信画面３０では、運行状況表示欄２９において、対象路線の路線図２９ａなどが上部に押し上げられて表示され、これによって生じた余白部に、前駅Ａのビデオカメラ５から配信された、この前駅Ａの該当する乗降位置２での乗降状況を示す画像の乗降状況画面３１が、前駅Ａの生中継（ＬＩＶＥ）画面として、表示され、これとともに、先発列車が前駅Ａに到着したことを知らせるメッセージ３２も表示される。
【００７３】
なお、次発列車の待ち時間メッセージ２９ｄ’が、吹出しなしで、例えば、「あと５分」というように表示される。
【００７４】
以上のこと以外は、図６に示した列車在線位置表示画面２６と同様であり、この乗降状況画面３１により、顧客は自分が乗ろうとする乗車位置での混み具合などを目視によって確認することができる。
【００７５】
次に、先発列車が前駅Ａを発車すると（図５での状態２５ｃ）、前駅Ａにおいて、スタンバイ状態にあった静止画用カメラ１１が稼働し、それによる先発列車の各乗降ドア毎の静止画像が当駅Ｂに配信され（図５のＳ６）、また、車内混雑度測定手段２３（図４）で測定された先発列車の各車両の混雑度情報が当駅Ｂに配信される（図５のＳ７）。これにより、当駅Ｂでは、これら乗降ドア毎の静止画像が当駅Ｂでの該当する番線の該当する乗降位置での到着予定列車情報の表示装置３に供給され、また、先発列車の各車両の混雑度情報は当駅Ｂでの該当する番線の全ての乗降位置での到着予定列車情報の表示装置３に供給される。
【００７６】
そして、これとともに、ホストサーバ２０から画面切替えの要求があり（図５のＳ８）、これらが全て揃ったときに、図８に示す先発列車混雑状況表示画面３３に切り替え表示される（図５でのＳ９）。
【００７７】
なお、図５では図示しないが、図６に示す列車在線位置表示画面２６から図７に示す前駅映像配信画面３０に切り替わるときにも、ホストサーバ２０から画面切替えの要求がある。後述する画面の切り替えも、同様であるが、以下では、その説明を省略する。
【００７８】
ここで、図８において、３４はドア領域混雑状況表示画面、３５は列車混雑状況表示画面、３５ａは該当車両指示マークであり、前出図面に対応する部分には同一符号をつけて重複する説明を省略するが、細かい部分で説明上必要としないについては、図面を簡明化するために符号を省略する。
【００７９】
当駅Ｂの到着予定列車情報の表示装置３の表示画面４に表示される先発列車混雑状況表示画面３３では、運行状況表示欄２９において、対象路線の路線図２９ａなどが上部に押し上げられて表示された状態で、前駅Ａの該当する番線の静止画用カメラ１１で撮影されたこの番線の該当する乗降ドアでの混雑状況を表わす静止画像のドア領域混雑状況表示画面３４が表示される。
【００８０】
また、このドア領域混雑状況表示画面３４に一部重なるようにして、前駅Ａから配信された先発列車の各車両の混雑度を表わす列車混雑状況表示画面３５が表示される。この列車混雑状況表示画面３５は、先発列車の各車両が繋がった状態で表わされるものであり、これら各車両の混雑度が、例えば、人間の画像の個数で表わされ、その画像が多いほど混雑していることを表わしている。そして、該当する乗降ドアを有する車両は、他の車両に比べて、大きく表示され、また、該当車両指示マーク３５ａによって指示されている。
【００８１】
これにより、当駅Ｂでの顧客は、前駅Ａを発車した後の先発列車での混み具合を目視によって確認することができ、また、この顧客が待っている乗降位置に止まる乗降ドア部分での混み具合も、目視によって認識することができる。
【００８２】
先発列車が前駅を発車した後は、待ち時間メッセージ２９ｄ’の内容も変化していく。
【００８３】
先発列車が当駅Ｂの該当する番線に到着すると（図５での状態２５ｄ）、図９に示す先発列車当駅停車中画面３６に切り替わる（図５でのＳ１０）。
【００８４】
なお、図９において、２９ｆは列車アイコン、２９ｇは吹出しであり、前出図面に対応する部分には同一符号をつけて重複する説明を省略する。また、図９においても、必要な部分にだけ符号を付している。
【００８５】
この先発列車当駅停車中画面３６は、運行状況表示欄２９で路線図２８ａなどが中央部に表示され、図６に示す列車在線位置表示画面２６と同等のものとなるが、先発列車の列車アイコン２９ｂは対象路線の路線図２９ａでの当駅Ｂの位置に表示される。
【００８６】
また、後発列車が前駅Ａに近づいて対象路線の路線図２９ａで表示可能な位置に達すると、その列車アイコン２９ｆが対象路線の路線図２９ａ上に表示され、これとともに、当駅Ｂに到着するまでの待ち時間のメッセージを表わした吹出し２９ｇも表示される。
【００８７】
先発列車が当駅Ｂを発車すると（図５での状態２５ｅ）、図１０に示す列車入替画面３７に切り替わる（図５でのＳ１１）。
【００８８】
なお、図１０において、２９ｅ’は追越し駅通知欄であり、図６，図９に対応する部分には同一符号をつけて重複する説明を省略する。また、図１０においても、必要な部分にだけ符号を付している。
【００８９】
この列車入替画面３７は、当駅Ｂを出発した先の先発列車についての表示がなくなり、先の後発列車が先発列車として取り扱われることになる。ここでは、先の先発列車とは区別するために、新先発列車ということになる。
【００９０】
そこで、列車入替画面３７では、先発列車関連情報欄２７がこの新先発列車の当駅Ｂでの関連情報に切り替わる。この場合、Ｔ駅行きの快速で、１９：５８発との表示がなされる。これとともに、後発列車関連情報欄２８においても、この新先発列車の次に当駅Ｂを発車する列車を新後発列車として、この新後発列車に関する情報に切り替えられる。
【００９１】
運行状況表示欄２９も、この新先発列車の運行状況が表示される。この場合、新先発列車は快速であって、対象路線の路線図２９ａには、当駅Ｂ以降のこの新先発列車が停車する駅が黒丸の駅マーク２９ｃで表示され、停車しない駅は破線で表わされる丸の駅マーク２９ｃで表示される。また、この場合、この新先発列車が既に当駅Ｂを出発している各駅停車の列車を追い越すときには、この追越しが行なわれる駅（この場合、Ｋ駅）を指示する追越し駅通知欄２９ｅ’が表示され、これに、例えば、「各駅停車に接続します」とのメッセージが表示される。
【００９２】
図１１は当駅Ｂで最終列車に対して到着予定列車情報の表示装置３で表示される最終列車表示画面３８の一具体例を示す図であって、図６に対応する部分には同一符号をつけて重複する説明を省略する。また、図１１においても、必要な部分にだけ符号を付している。
【００９３】
同図において、この最終列車表示画面３８では、先発列車関連情報欄２７に最終列車に関する情報が表示され、また、運行状況表示欄２９では、対象路線の路線図２９ａに最終列車の位置を示す列車アイコン２９ｆが表示される。そして、後発列車関連情報欄２８には、先発列車が最終列車であることを通知するために、例えば、「次の列車は最終電車となります」といったメッセージ３９が表示される。
【００９４】
先発列車に遅延などの運行上の異常があると（図５での状態２５ｆ）、これを表わす情報が到着予定列車情報の表示装置３に表示される（図５でのＳ１２）。以下、当駅Ｂの対象となる番線を通る対象路線での列車の運行異常に伴う表示画面について説明する。
【００９５】
図１２は対象路線での列車の遅延（遅れ）が小規模の場合の到着予定列車情報の表示装置３に表示される画面の一具体例を示す図であって、４０ａ，４０ｂは列車在線位置表示画面、４１は遅延通知図形、４２ａ，４２ｂは異常運行通知メッセージであり、図６に対応する部分には同一符号をつけて重複する説明を省略する。なお、図１２においても、必要な部分にだけ符号を付している。
【００９６】
いま、先発列車が前駅Ａに到着する前の図６に示す列車在線位置表示画面２６の表示状態で、先発列車に小規模（短い）遅れが生じた場合には、図１２（ａ）に示す列車在線位置表示画面４０ａと図１２（ｂ）に示す列車在線位置表示画面４０ｂとが、数秒程度という比較的短い所定期間毎に交互に切り替え表示される状態に切り替わる。
【００９７】
列車在線位置表示画面４０ａは、図６に示した列車在線位置表示画面２６と同様であるが、路線図２９ａの上下の辺に沿って、例えば、波状の遅延通知図形４１が表示され、列車在線位置表示画面４０ｂでは、これにさらに、先発列車関連情報欄２７の発車時刻欄２７ａに、発車時刻に代えて、異常運行状態である先発列車の遅れを示す、例えば、「遅延」という異常運行通知メッセージ４２ａが表示される。また、後発列車も、遅れている場合には、列車在線位置表示画面４０ｂの後発列車関連情報欄２８の発車時刻欄２８ａに、同様の異常運行通知メッセージ４２ｂが表示される。
【００９８】
このようにして、列車の遅れに対し、発車時刻などを表わす列車在線位置表示画面４０ａと遅れを直接通知する列車在線位置表示画面４０ｂとが交互に表示されるので、顧客は列車が遅れていることとともに、この列車がいつ頃当駅Ｂに到着するかを目視によって認識、確認することができる。
【００９９】
図１３は対象路線での列車の遅延（遅れ）が小規模の場合の到着予定列車情報の表示装置３に表示される画面の他の具体例を示す図であって、４１は遅延通知図形、４２ａ，４２ｂは異常運行通知メッセージ、４３ａ，４３ｂは前駅映像配信画面であり、図７に対応する部分には同一符号をつけて重複する説明を省略する。また、図１３においても、必要な部分にだけ符号を付している。
【０１００】
いま、先発列車が前駅Ａに到着して図７に示す前映像配信画面３０の表示状態にあるとき、図７に示す先発列車に小規模な（短い）遅れが生じた場合、図１３（ａ）に示す前駅映像配信画面４３ａと図１３（ｂ）に示す前駅映像配信画面４３ｂとが、数秒程度と比較的短い所定期間毎に交互に切り替え表示される。
【０１０１】
図１３（ａ），（ｂ）に示す前駅映像配信画面４３ａ，４３ｂは、図７に示す前駅映像配信画面３０と同様であるが、図１２に示す列車在線位置表示画面４０ａ，４０ｂのように、先発列車に小規模の遅れを示す遅延通知図形４１が路線図２９ａに表示され、また、前駅映像配信画面４３ｂは、さらに、図１２（ｂ）に示す列車在線位置表示画面４０ｂと同様、先発列車関連情報欄２７の発車時刻欄２７ａに、発車時刻に代えて、先発列車の遅れを示す、例えば、「遅延」という異常運行通知メッセージ４２ａが、さらに、後発列車も、遅れている場合には、後発列車関連情報欄２８の発車時刻欄２８ａに、同様の異常運行通知メッセージ４２ｂが表示される。
【０１０２】
このようして、この場合でも、列車の遅れの遅れに対し、発車時刻などを表わす前駅映像配信画面４３ａと遅れを直接通知する前駅映像配信画面４３ｂとが交互に表示されるので、顧客は列車が遅れていることとともに、この列車がいつ頃当駅Ｂに到着するかを目視によって認識、確認することができる。
【０１０３】
図１４は対象路線での列車の遅延（遅れ）が大規模の場合の到着予定列車情報の表示装置３に表示される画面の一具体例を示す図であって、４４は列車在線位置表示画面、４５は遅延情報表示欄、４５ａは異常運行通知メッセージ、４５ｂは異常原因通知メッセージ、４６は振替ルート表示欄であり、図６，図１２（ａ）に対応する部分には同一符号をつけて重複する説明を省略する。なお、図１４においても、必要な部分にだけ符号を付している。
【０１０４】
先発列車に大幅な遅れが生じた場合には、図１４に示す列車在線位置表示画面４４が表示される。
【０１０５】
この列車在線位置表示画面４４では、図１２（ａ）に示す列車在線位置表示画面４０ａにおいて、運行状況表示欄２９で路線図２９ａなどが上方に押し上げられてスペースが拡大されるとともに、後発列車関連情報欄２８が除かれた状態で、遅延情報表示欄４５と振替ルート表示欄４６とが表示される。
【０１０６】
この遅延情報表示欄４５には、対象路線で大幅な遅れが生じていることを示す、例えば、「遅延」といった異常運行通知メッセージ４５ａと、その異常の原因を通知する、例えば、「原因  強風」といった異常原因通知メッセージ４５ｂとが表示される。
【０１０７】
また、振替ルート表示欄４６には、当駅Ｂで可能な振替ルートが路線によって表示される。ここでは、Ｈ駅までの振替ルートが示されている。この路線としては、他車の路線でもよいし、また、バスなどの他の交通機関であってもよい。ここでは、Ｘ駅までの○○○線とＴ駅までの○○線とからなる振替ルートが表示されている。
【０１０８】
なお、振替ルートが全くない場合には、振替ルート表示欄４６は表示されない。あるいは、振替ルート表示欄４６は表示されるが、その内容が表示されないようにすることもできる。この場合には、振替ルートがないことがより明確になる。
【０１０９】
また、図１４において、路線図２９ａには、当駅Ｂから所定距離までの列車の列車アイコンが表示され、また、先発列車の待ち時間メッセージ２９ｄ’も、例えば、「あと５分」として表示されているが、これは、正常な運行であれば、待ち時間が５分となる位置に先発列車が停止していることを示している。先発列車を含めたこの対象路線の列車が少しずつ動いていれば、各列車の列車アイコンが移動し、これとともに、待ち時間メッセージ２９ｄ’も変わる。
【０１１０】
このようにして、顧客としては、列車が大幅に遅れることを知ることができるし、また、その遅れの原因や振替ルートも知ることができ、これに対処する行動を容易に決めることが可能となる。
【０１１１】
図１５は対象路線で運転見合わせがあった場合の当駅Ｂの到着予定列車情報の表示装置３に表示される画面の一具体例を示す図であって、４７ａ，４７ｂは対象路線運転見合わせ画面、４８は運行異常通知欄、４８ａは異常事態発生時刻、４８ｂは運行異常通知メッセージ、４９は異常原因通知欄、５０，５０ａ，５０ｂは振替ルート表示欄である。
【０１１２】
異常の発生により、対象路線で運転見合わせの異常運行状態が発生すると、図１５（ａ）に示す対象路線運転見合わせ画面４７ａが表示される。
【０１１３】
この対象路線運転見合わせ画面４７ａでは、その上側に運行異常通知欄４８と異常原因通知欄４９とが表示され、残りのエリアに振替ルート表示欄５０が表示される。
【０１１４】
運行異常通知欄４８には、運行の異常を示す、例えば、「運転見合わせ」といった運行異常通知メッセージ４８ｂと、この異常事態が発生した異常事態発生時刻４８ａとが表示され、異常原因通知欄４９には、その異常事態の発生原因が、例えば、「原因  強風」というように表示される。
【０１１５】
また、振替ルート表示欄５０には、図１４に示す列車在線位置表示画面４４での振替ルート表示欄４６と同様に、当駅Ｂからの振替ルートが表示される。
【０１１６】
このようにして、図１４に示す列車在線位置表示画面４４の場合と同様、顧客としては、列車が動いていないことを目視で知ることができるし、また、その遅れの原因や振替ルートも知ることができ、これに対処する行動を用意に決めることが可能となる。
【０１１７】
その後、運転再開の見込みとなると、図１５（ｂ）に示す対象路線運転見合わせ画面４７ｂが表示される。この対象路線運転見合わせ画面４７ｂも、図１５（ａ）に示す対象路線運転見合わせ画面４７ｂと同様であるが、運行異常通知欄４８には、運行の再開に関する、例えば、「運転再開見込」といった運行再開見込通知メッセージ４８ｄと、運転再開の見込み時刻４８ｃとが表示され、異常原因通知欄４９には、その異常事態の発生原因が、例えば、「原因  強風」とそのままに表示される。
【０１１８】
また、振替ルート表示欄５０ａ，５０ｂでも夫々、図１４に示す列車在線位置表示画面４４での振替ルート表示欄４６と同様に、当駅Ｂからの振替ルートが表示される。この場合、２つの振替ルートが存在するために、夫々毎の振替ルート表示欄５０ａ，５０ｂが表示されるものである。個のように、複数個あれば、夫々毎に表示される。このことは、図１５（ａ）に示す対象路線運転見合わせ画面４７についても、同様である。
【０１１９】
このようにして、顧客は、運転再開の見込みを目視によって確認することができ、これとともに、運転再開の見込み時刻４８ｃまで待つか、振替ルートを使うかなどの判断をすることが可能となる。
【０１２０】
以上が、図５におけるＳ１２の動作である。この場合の列車運行に関する情報は、運行管理システム１８（図４）から提供されるものである。
【０１２１】
次に、対象路線上の当駅Ｂ以降の駅で乗換えする接続路線（自社路線や他社路線）で異常が発生し、この接続路線で大幅な遅延や運転見合わせが発生した場合の当駅Ｂでの到着予定列車情報の表示装置３（図２）の表示について説明する。これは、図５での状態２５ｇとなって、Ｓ１３が実行されるものである。
【０１２２】
ここで、異常を発生した接続路線が自社路線である場合には、その接続路線を示す情報と、遅延や運転見合わせ，運転再開見込みといった内容に関する情報とが、運転管理システム１８（図４）、または、運行状況サーバ１９（図４）から提供されるが、他社路線の場合には、その接続路線を示す情報や内容は運行状況サーバ１９から提供される。
【０１２３】
図１６はこの場合の当駅Ｂの到着予定列車情報の表示装置３に表示される画面の一具体例を示す図であって、５１ａは列車在線位置表示画面、５１ｂは前駅映像配信画面、４８は運行異常通知欄、５２ａ，５２ｂは接続路線異常通知吹出しであり、図６，図７に対応する部分には同一符号をつけて重複する説明を省略する。なお、図１６においても、必要な部分にだけ符号を付している。
【０１２４】
図６に示す列車在線位置表示画面２６が表示されている状態で、この対象路線での接続路線に運行上の異常が発生すると、図１６（ａ）に示す列車在線位置表示画面５１ａの表示に切り替わる。この列車在線位置表示画面５１ａでは、路線図２９ａ上の異常が発生した接続路線がある駅に、接続路線異常を通知する吹出し、即ち、接続路線異常通知吹出し５２ａ，５２ｂが表示され、そこに通知する内容が表示される。
【０１２５】
この例では、Ｈ駅とＮ駅とに接続路線の異常があったものとしており、Ｈ駅では、接続路線異常通知吹出し５２ａが表示されて、「○○線  ×運転見合わせ」といった異常の内容が表示され、また、Ｎ駅でも、接続路線異常通知吹出し５２ｂが表示されて、「△△線  △遅延」といった異常の内容が表示される。ここで、「×」，「△」は異常の程度（止まっている、遅れているなど）を表わすものである。
【０１２６】
また、図７に示す前駅映像配信画面３０が表示されている状態で、この対象路線での接続路線に運行上の異常が発生すると、図１６（ｂ）に示す前駅映像配信画面５１ｂの表示に切り替わる。この前駅映像配信画面５１ｂでも、路線図２９ａ上の異常が発生した接続路線がある駅に、接続路線異常を通知する吹出し、即ち、接続路線異常通知吹出しが表示され、そこに通知する内容が表示される。
【０１２７】
この例でも、Ｈ駅とＮ駅とに接続路線の異常があったものとしており、Ｈ駅では、接続路線異常通知吹出し５２ａが表示されて、「○○線  ×運転見合わせ」といった異常の内容が表示される。
【０１２８】
このようなことから、運行上の異常が発生した接続路線が接続される駅ではない当駅Ｂで、対象路線での接続路線の異常を、その程度も含めて、目視により、確実に認識することができ、かかる事態の対処を早めに決めることができる。
【０１２９】
以上が、図５での状態２５ｇでのＳ１３の表示である。
【０１３０】
図１７は先発列車の進行に伴う以上の表示画面の表示遷移を示す図であって、図示するように、先発列車の進行とともに、列車在線位置表示画面２６（図６），前駅映像配信画面３０（図７），先発列車混雑状況表示画面３３（図８），先発列車当駅停車中画面３６（図９），先発列車入替画面３７（図１０）順で表示画面が切り替わっていき、最終列車になると、図１７では図示しないが、最終列車表示画面３８（図１１）の表示に切り替わるが、これら画面のいずれかの表示中に、対象路線で遅れなどの異常が発生すると、図１２〜図１４に示す画面に切り替わり、運転見合わせがあると、図１５に示すような対象路線運転見合わせ画面１７ａ，１７ｂの表示に切り替わり、接続路線の異常が発生すると、図１６に示すような画面５１ａ，５１ｂの表示に切り替わる。即ち、図１２〜図１６に示す路線異常通知画面のいずれかに表示が切り替わることになる。
【０１３１】
なお、遅れなどの異常路線通知画面の表示中に列車の運転が行なわれ、その後、遅れがなくなって正常な状態となると、異常路線通知画面の表示前の画面とは異なる画面の表示状態となる。例えば、図６に示す列車在線位置表示画面２６の表示状態で先発列車に遅れが生じると、図１２に示す画面４０ａ，４０ｂの表示が切り替わり、その後、先発列車が前駅Ａに到着すると、図１３に示す画面４３ａ，４３ｂの表示に切り替わるが、このとき、遅れが解消されると、もとの図６に示す列車在線位置表示画面２６の表示に戻るのではなく、図７に示す前駅映像配信画面３０の表示に切り替わる。これにより、列車の進行に伴う画面の表示の連続性が保たれることになり、顧客としては、常に現在の状態を把握することができるものである。
【０１３２】
図１８は図３における車掌用ディスプレイ１２に表示される画面の一具体例を示す図であって、５３ａ，５３ｂは乗降位置番号表示領域、５４ａ，５４ｂは画像表示領域、５５はカーソル、５６は拡大画像表示領域である。
【０１３３】
同図において、車掌用ディスプレイ１２には、これが設置されている番線（該当する番線）の各乗降位置が番号（以下、乗降位置番号といい、例えば、この該当する番線の先頭から順に振られている）でもって表わされた乗降位置番号表示領域５３ａ，５３ｂと、この乗降位置番号表示領域５３ａ，５３ｂの乗降位置番号毎に、乗降番号に対向して該当する乗降位置での画像が表示される画像表示領域５４ａ，５４ｂと、この画像表示領域５４ａ，５４ｂのいずれかの画像が選択されていることを示すカーソル５５と、このカーソル５５によって選択された画像を拡大して表示する拡大画像表示領域５６とが設定されている。
【０１３４】
ここで、画像表示領域５４ａ，５４ｂに表示される画像は、到着予定列車情報の表示装置３のビデオカメラ５で撮影される画像であって、この到着予定列車情報の表示装置３が設置された番線（該当する番線）に到着した先発列車の乗降ドアが開いている限り、このビデオカメラ５が撮影してその画像が画像表示領域５４ａ，５４ｂの該当する場所に表示される。例えば、乗降位置番号「１」の画像は、乗降位置番号「１」が設けられた乗降位置番号表示領域５３ａの位置に隣り合う、画像表示領域５４ａの位置に表示される。
【０１３５】
次発列車が到着すると、そのホームの到着番線の各乗降位置での各到着予定列車情報の表示装置３のビデオカメラ５が撮影を開始し、この次発列車が発車するまで、その撮像画像を、上記のように、次の駅に送信するとともに、このホームの車掌用ディスプレイ１２に供給する。これにより、各ビデオカメラ５からの画像は、上記のように、この車掌用ディスプレイ１２の画像表示領域５４ａ，５ｂでの、乗車位置番号表示領域５３ａ，５３ｂに表示されている乗車位置番号での該当する乗車位置番号に対応する位置に表示されるが、これとともに、これらビデオカメラ５からの画像毎に画像認識処理がなされ、この次発列車の各車両の乗降ドア毎に、乗降ドアの近く（例えば、乗降ドアとホームに設けられた白線との間の領域）に人がいるか否かの認識判定がなされる。
【０１３６】
そして、車掌の操作によって乗降ドアが閉じると、この閉じたことがビデオカメラ５からの画像をもとに判定され、このように乗車ドアの近くに人が残っていると判定される乗降位置のビデオカメラ５の画像が、また、車掌用ディスプレイ１２で拡大処理され、拡大画像として、拡大画像表示領域５６に表示される。
【０１３７】
また、この拡大画像表示領域５６に表示された拡大画像と同じものの画像表示領域５４ａ，５４ｂで表示される画像には、カーソル５５が表示されており、これにより、拡大画像が表示されている乗降位置を知ることができる。
【０１３８】
このようにして、次発列車の車掌は、次発列車に対する各乗降位置での顧客の乗降状態を確認することができるし、特に、乗降ドアを閉じる操作をしたときには、この始発列車の発車前に、閉じた乗降ドアの近くに人が居る場合には、その状態やその乗降位置を目視で確認することができる。従って、車掌としては、発車時の安全を容易にかつ確実に確認することができる。閉じた乗降ドアの近くに人がいる乗降位置がある場合には、車掌は、例えば、駅係員にその旨を連絡し、駅係員がアナウンスして乗降ドアに近づいている顧客に注意を促すようにする。
【０１３９】
また、車掌用ディスプレイ１２の他の使用法として、車掌はリモコンを保持しており、このリモコンを操作することにより、画像表示領域５４ａ，５４ｂでのカーソル５５を移動させることができる。あるいはまた、ホームでの停車した先発列車の車掌室の近傍の柱に操作装置が設けられ、これを操作することにより、カーソル５５を移動させるようにしてもよい。
【０１４０】
画像表示領域５４ａ内には、２つのカーソルが設けられており、車掌の操作により、夫々のカーソルを個別に画像表示領域５４ａ内を移動させることができる。同様にして、画像表示領域５４ｂ内にも、２つのカーソルが設けられており、車掌の操作により、夫々のカーソルを個別に画像表示領域５４ｂ内を移動させることができる。勿論、画像表示領域５４ａ，５４ｂ内に１つずつカーソルが設けられているようにしてもよいし、３個以上ずつ設けられているようにしてもよい。上記のリモコンあるいは操作装置では、操作することによって画像表示領域５４ａ，５４ｂのいずれか一方、例えば、画像表示領域５４ａが指定され、かつその指定された画像表示領域５４ａの１つのカーソルが指定され、この指定されているカーソルを移動させて所定の画像を選択し、決定操作をすると、同じ画像表示領域５４ａでの他方のカーソルが指定され、それを移動させて所定の画像を選択し、決定操作をすると、次の画像表示領域５４ｂが指定され、同様の操作を行なうことができる。勿論、各カーソル５５毎に操作手段を設けておくようにすることもできる。
【０１４１】
カーソル５５によって選択決定された画像は、拡大画像表示領域５６で拡大表示される。この場合には、４個までの画像が拡大表示される。
【０１４２】
このような車掌用ディスプレイ１２を車掌のために設けることにより、車掌は先発列車の各乗降ドア毎の乗客の乗り降りの状況を把握することができ、また、例えば、大勢の乗客が乗り降りする乗降ドアに対しては、その画像を拡大画像表示領域５６で拡大表示させることにより、その状況をより詳細に確認することができる。
【０１４３】
なお、車掌用ディスプレイ１２での画像表示領域５４ａ，５４ｂに表示される到着予定列車情報の表示装置３のビデオカメラ５で撮影される画像は、鮮明に表示されて車掌が見易くするものであるが、到着予定列車情報の表示装置３で表示される前駅からの配信画像３１（図７，図１３，図１６（ｂ））は、少しぼやけたようにして表示される。これは、配信画像３１が表示されることにより、運行状況表示欄２９に表示される情報が見にくくなるのを防止するものである。
【図面の簡単な説明】
【０１４４】
【図１】本発明による鉄道システムの情報表示方法に用いる到着予定列車情報の表示装置の使用状態の一具体例を示す図である。
【図２】図１における到着予定列車情報の表示装置の一具体例を示す外観斜視図である。
【図３】１つのホームでの装置の設置状態を示す図である。
【図４】本発明を実行するための鉄道システムの一具体例を示すシステム構成図である。
【図５】本発明による鉄道システムの情報表示方法の一実施形態での表示される画面の遷移を示すシーケンス図である。
【図６】先発列車が前駅に到着する前の当駅で表示される画面の一具体例を示す図である。
【図７】先発列車が前駅に到着したときに当駅で表示される画面の一具体例を示す図である。
【図８】先発列車が前駅を出発したときに当駅で表示される画面の一具体例を示す図である。
【図９】先発列車が当駅に到着したときに当駅で表示される画面の一具体例を示す図である。
【図１０】先発列車が当駅を到着したときに当駅で表示される画面の一具体例を示す図である。
【図１１】当駅で最終列車に対して表示される画面の一具体例を示す図である。
【図１２】列車の遅延が小規模の場合の先発列車が前駅に到着する前に表示される画面の一具体例を示す図である。
【図１３】対象路線での列車の遅延が小規模の場合に表示される画面の他の具体例を示す図である。
【図１４】対象路線での列車の遅延が大規模の場合に表示される画面の一具体例を示す図である。
【図１５】対象路線で運転見合わせがあった場合に表示される画面の一具体例を示す図である。
【図１６】接続路線に運行上の異常があった場合に表示される画面の一具体例を示す図である。
【図１７】先発列車の進行に伴う表示画面の表示遷移を示す図である。
【図１８】図３における車掌用ディスプレイに表示される画面の一具体例を示す図である。
【符号の説明】
【０１４５】
１  ホームの番線
２  乗降位置
３  到着予定列車情報の表示装置
３ａ  前面，３ｂ  下面
４  表示画面
５  ビデオカメラ
６  番線名
７  路線情報
８  先発列車項目
９  後発列車項目
１０  ホーム
１０ａ，１０ｂ  番線
１１  静止画用カメラ
１２  車掌用ディスプレイ
１３1〜１３i，１３1〜１３j  番線
１４  表示部
１５  制御部
１６Ａ，１６Ｂ  駅サーバ
１７  データベース
１８  運行管理システム
１９  運行状況サーバ
２０  ホストサーバ
２１  通信線
２２Ａ，２２Ｂ  車両
２３  車内混雑度測定手段
２４  制御部
２６  列車在線位置表示画面
２７  先発列車関連情報欄
２７ａ  発車時刻欄
２７ｂ  列車種別欄
２７ｃ  行先欄
２７ｄ  属性情報表示欄
２８  後発列車関連情報欄
２８ａ  発車時刻欄
２８ｂ  列車種別欄
２８ｃ  行先欄
２８ｄ  属性情報表示欄
２９  運行状況表示欄
２９ａ  路線図
２９ｂ  列車アイコン
２９ｃ  駅マーク
２９ｄ  吹出し
２９ｄ’  待ち時間メッセージ
２９ｅ  先着駅通知欄
２９ｅ’  追越し駅通知欄
２９ｆ  列車アイコン
２９ｇ  吹出し
３０  前駅映像配信画面
３１  配信映像
３２  メッセージ
３３  先発列車混雑状況表示画面
３４  ドア領域混雑状況表示画面
３５  列車混雑状況表示画面
３５ａ  該当車両指示マーク
３６  先発列車当駅停車中画面
３７  列車入替画面
３８  最終列車表示画面
３９  メッセージ
４０ａ，４０ｂ  列車在線位置表示画面
４１  遅延通知図形
４２ａ，４２ｂ  異常運行通知メッセージ
４３ａ，４３ｂ  前駅映像配信画面
４４  列車在線位置表示画面
４５  遅延情報表示欄
４５ａ  異常運行通知メッセージ
４５ｂ  異常原因通知メッセージ
４６  振替ルート表示欄
４７ａ，４７ｂ  対象路線運転見合わせ画面
４８  運行異常通知欄
４８ａ  異常事態発生時刻
４８ｂ  運行異常通知メッセージ
４９  異常原因通知欄
５０，５０ａ，５０ｂ  振替ルート表示欄
５１ａ  列車在線位置表示画面
５１ｂ  前駅映像配信画面
４８  運行異常通知欄
５２ａ，５２ｂ  接続路線異常通知吹出し
５３ａ，５３ｂ  乗降位置番号表示領域
５４ａ，５４ｂ  画像表示領域
５５  カーソル
５６  拡大画像表示領域
【図１】
0005047831.tif 000002
【図２】
0005047831.tif 000003
【図３】
0005047831.tif 000004
【図４】
0005047831.tif 000005
【図５】
0005047831.tif 000006
【図６】
0005047831.tif 000007
【図７】
0005047831.tif 000008
【図８】
0005047831.tif 000009
【図９】
0005047831.tif 000010
【図１０】
0005047831.tif 000011
【図１１】
0005047831.tif 000012
【図１２】
0005047831.tif 000013
【図１３】
0005047831.tif 000014
【図１４】
0005047831.tif 000015
【図１５】
0005047831.tif 000016
【図１６】
0005047831.tif 000017
【図１７】
0005047831.tif 000018
【図１８】
0005047831.tif 000019